(57)【要約】【課題】原稿サイズの検知時の光源の眩しさを低減すると共に、原稿サイズの誤検知を低減できる構造を実現する。【解決手段】原稿検知手段としてのサイズ候補センサ４１、４２、４３の検知結果から、原稿台としてのコンタクトガラス３１に載置された原稿のサイズの候補を複数決定する。次いで、決定された複数の候補の原稿の主走査方向の端部に対応する対応照射領域（エリア１、２、３の何れか）で光源に光を照射させる。そして、反射光検知手段としてのイメージセンサにより検知した結果から、コンタクトガラス３１に載置された原稿の主走査方向のサイズを検知し、コンタクトガラス３１に載置された原稿のサイズを決定する。【選択図】図５
2014036350.tif 000002
【特許請求の範囲】
【請求項１】
原稿を載置する原稿台と、
前記原稿台の所定位置における原稿の有無を検知する原稿検知手段と、
主走査方向の照射領域が可変で、前記原稿台に向けて光を照射する光源と、
前記光源から照射された光の反射光を検知する反射光検知手段と、
前記原稿検知手段の検知結果から前記原稿台に載置された原稿のサイズの候補を複数決定し、決定された複数の候補の原稿の主走査方向の端部に対応する前記原稿台の対応照射領域に向けて前記光源に光を照射させ、前記反射光検知手段により検知した結果から前記原稿台に載置された原稿の主走査方向のサイズを検知し、前記原稿台に載置された原稿のサイズを決定する制御手段と、を備えた、
ことを特徴とする画像読取装置。
【請求項２】
前記光源は、主走査方向に並べて配置された複数の発光素子を有し、
前記反射光検知手段は、前記複数の発光素子と主走査方向の位置が対応するように並べて配置された複数の検知素子を有し、
前記制御手段は、前記対応照射領域の一部で、前記複数の検知素子のうち、検知した信号が所定の閾値を跨ぐ個所の検知素子と主走査方向に関して同じ位置の発光素子が含まれる第１領域から外れた第２領域を消灯する、
ことを特徴とする、請求項１に記載の画像読取装置。
【請求項３】
前記第２領域は、前記所定の閾値を跨ぐ個所よりも、原稿の主走査方向の突き当て基準側とは反対側の領域である、
ことを特徴とする、請求項２に記載の画像読取装置。
【請求項４】
前記原稿台を覆う閉状態と前記原稿台から所定量離れた開状態との間で、開閉自在に配置された原稿カバーと、
前記原稿カバーの開閉状態を検知する開閉検知手段と、を備え、
前記制御手段は、前記原稿カバーの異なる開放角度で、それぞれ前記反射光検知手段により検知した反射光の差から、前記原稿台に載置された原稿の主走査方向のサイズを検知する、
ことを特徴とする、請求項１ないし３のうちの何れか１項に記載の画像読取装置。
【請求項５】
前記開閉検知手段は、前記原稿カバーが、前記原稿台から離れた第１の開状態と、前記第１の開状態よりも前記原稿台に近づいた第２の開状態とを検知可能で、
前記制御手段は、前記開閉検知手段が前記第２の開状態を検知した時に、前記原稿検知手段により原稿の有無を検知し、前記対応照射領域で前記光源に光を照射させる、
ことを特徴とする、請求項４に記載の画像読取装置。
【発明の詳細な説明】
【技術分野】
【０００１】
本発明は、スキャナ、ファクシミリ、複写機などに使用される画像読取装置に関し、特に、原稿台上に置かれた原稿のサイズを検知する構造に関する。
【背景技術】
【０００２】
画像読取装置では、原稿台に載置された原稿の原稿サイズを検知するために、原稿台の下方の所定位置に固定されたフォトセンサを使用して、原稿カバーが開いている状態から閉じるまでの原稿台の反射光の有無から、照射位置での原稿有無を判断して原稿サイズを検知するものがある。しかし、この方法では原稿サイズの種類だけ原稿検知用のフォトセンサが必要となるのでコストが高い。このため、主走査方向のフォトセンサ削減のために画像読取に使用する光源を使用して原稿台を覆う原稿カバーが所定角度まで閉じられると原稿が載置された原稿台に光源から光を照射して主走査方向の輝度分布を読み取り、原稿領域と非原稿領域とを判断して主走査方向の原稿サイズを検知するものがある。しかしながら、原稿カバーが開いている状態で画像読取に使用する光源から光を照射すると、照射光がユーザーの目に入り、眩しさからユーザーが不快に感じるという問題があった。
【０００３】
一方、原稿サイズの検知の際、光源をある一定の距離毎にブロック単位に分け、原稿の載置基準からブロック毎に光源を順次点灯していき、原稿の端部を検知できたときに、それ以降のブロックは点灯しない構造が提案されている（特許文献１）。
【先行技術文献】
【特許文献】
【０００４】
【特許文献１】特開２０１０−２７３０９９号公報
【発明の概要】
【発明が解決しようとする課題】
【０００５】
上述の特許文献１に記載された構造のように、原稿の端部以降のブロックを点灯しないようにすれば、照射光の眩しさを低減できる。しかしながら、例えば、原稿の縁などの一部が黒などの光を吸収してしまうような色である場合、光源を点灯してもその部分での反射光が弱くなり、読取レベルが低くなる。一方、原稿が載置されていない部分についても光源の光を反射することがないため、こちらも同様に読取レベルは非常に低い。したがって、上述の特許文献１に記載された構造のように、原稿の端部を検知するまで順次ブロック毎に点灯して読取レベルが低いことで原稿の端部と判断してその後のブロック毎の点灯をやめると、原稿の端部の色によっては、端部として検知した部分が、実際に原稿の端部であるのか、原稿上に有る黒などの読取レベルが低くなるような色の部分であるのかが不明瞭となる可能性がある。この結果、原稿サイズを誤検知する可能性がある。
【０００６】
本発明は、このような事情に鑑み、原稿サイズの検知時の光源の眩しさを低減すると共に、原稿サイズの誤検知を低減できる構造を実現すべく発明したものである。
【課題を解決するための手段】
【０００７】
本発明は、原稿を載置する原稿台と、前記原稿台の所定位置における原稿の有無を検知する原稿検知手段と、主走査方向の照射領域が可変で、前記原稿台に向けて光を照射する光源と、前記光源から照射された光の反射光を検知する反射光検知手段と、前記原稿検知手段の検知結果から前記原稿台に載置された原稿のサイズの候補を複数決定し、決定された複数の候補の原稿の主走査方向の端部に対応する前記原稿台の対応照射領域に向けて前記光源に光を照射させ、前記反射光検知手段により検知した結果から前記原稿台に載置された原稿の主走査方向のサイズを検知し、前記原稿台に載置された原稿のサイズを決定する制御手段と、を備えた、ことを特徴とする画像読取装置にある。
【発明の効果】
【０００８】
本発明によれば、決定された複数の候補の原稿の主走査方向の端部に対応する対応照射領域で光源に光を照射させるため、原稿サイズの検知時の光源の眩しさを低減できる。また、対応照射領域で照射した光により原稿の主走査方向のサイズを検知するため、原稿の縁の色に拘らず、原稿サイズの誤検知を低減できる。
【図面の簡単な説明】
【０００９】
【図１】本発明の実施形態に係る画像読取装置の概略構成を示す正面図。
【図２】（Ａ）は本実施形態に係る画像読取装置の概略構成を示す平面図、（Ｂ）は光源とイメージセンサの一部を拡大して示す模式図。
【図３】本実施形態の画像形成装置の制御系のブロック図。
【図４】原稿カバーの開閉状態と角度検知センサの検知結果との関係を示す図。
【図５】サイズ候補センサの位置と原稿サイズとの関係を示す模式図。
【図６】サイズ候補センサの検知結果と、点灯するエリア及び候補となる原稿サイズとの関係を示す図。
【図７】本実施形態の原稿サイズ検知の流れを示すフローチャート。
【図８】光源の点灯するエリアの変化の具体例を示す図。
【図９】サイズの検知を行う原稿の端部での反射光輝度と点灯するエリアとの関係を示す模式図。
【発明を実施するための形態】
【００１０】
本発明の実施形態について、図１ないし図９を用いて説明する。まず、図１ないし図３を用いて本実施形態の画像読取装置の概略構成について説明する。
【００１１】
［画像読取装置］
画像読取装置３００は、図１に示すように、装置本体３２と、原稿台としてのコンタクトガラス３１と、原稿カバー３０と、イメージセンサユニット３３とを備える。コンタクトガラス３１は、装置本体３２の上面に配置され原稿を載置する。装置本体３２の内部には、装置本体３２内を主走査方向（図２の上下方向）に直交する副走査方向（図１、２の左右方向）に移動自在に、イメージセンサユニット３３を配置している。
【００１２】
原稿カバー３０は、コンタクトガラス３１に対して開閉自在に配置されている。具体的には、原稿カバー３０は、コンタクトガラス３１を覆う閉状態とコンタクトガラス３１から所定量離れた開状態との間で揺動自在に、装置本体３２の上面端部に対して固定されている。この原稿カバー３０の、原稿カバー３０を閉じた際にコンタクトガラス３１と接触する面については、反射率の高い色（例えば白色）で構成されていることが望ましい。また、装置本体３２の原稿カバー３０の揺動中心側には、原稿カバー３０の開閉状態を検知可能な開閉検知手段としての開閉検知センサ３４を設けている。
【００１３】
開閉検知センサ３４は、原稿カバー３０が開閉される際に原稿カバー３０に連動して上下する開閉フラグ３５と、原稿カバー３０の開閉角度を検知するための角度検知センサ３６ａ、３６ｂで構成されている。角度検知センサ３６ａ、３６ｂは、発信部、受信部を備えたフォトインタラプタで構成されており、発信部から発信された信号を開閉フラグ３５が遮り、それを受信部が検出することによりセンサのＯＮ／ＯＦＦの状態を取得する。そしてこの角度検知センサ３６ａ、３６ｂのＯＮ／ＯＦＦ状態の組み合わせにより、原稿カバー３０の開閉状態及び角度を求めることができる。
【００１４】
また、イメージセンサユニット３３は、原稿の読み取りを行う原稿読取部であり、図２（Ａ）に示すように、主走査方向にアレイ状に配置されたＬＥＤで構成された光源３３ａと、同じく主走査方向にアレイ状に配置されたイメージセンサ３３ｂとを備える。光源３３ａとイメージセンサ３３ｂとは、平行するように配置されている。イメージセンサ３３ｂは、反射光検知手段であり、図２（Ｂ）に示すように、主走査方向に並べて配置された複数の検知素子（画素）３３０ｂを有し、それぞれの検知素子３３０ｂが光源３３ａから照射された光の反射光を検知する。即ち、各検知素子３３０ｂは、受信した光を電気信号に変えて出力する。これにより、原稿の画像の読み取り、後述する原稿の主走査方向のサイズを検知する。
【００１５】
光源３３ａは、主走査方向の照射領域が可変で、コンタクトガラス３１に向けて光を照射する。このような光源３３ａは、図２（Ｂ）に示すように、主走査方向に並べて配置された複数の発光素子であるＬＥＤ素子３３０ａを有し、所定の範囲のブロック単位で点灯及び消灯が可能となっている。このため、上述のように、主走査方向の照射領域を可変にできる。このブロック単位とは、例えばＬＥＤ素子３３０ａを１ブロックとしても良いし、並べて配置される複数のＬＥＤ素子３３０ａにより１ブロックとしても良い。また、複数のＬＥＤ素子３３０ａ（のブロック）は、イメージセンサ３３ｂの複数の検知素子３３０ｂ（のブロック）と対応して配置されており、ＬＥＤ素子３３０ａと検知素子３３０ｂとが主走査方向に関して同じ位置となるように、それぞれ配置されている。
【００１６】
このようなイメージセンサユニット３３は、不図示の駆動機構により、副走査方向に移動可能となっている。例えば、イメージセンサユニット３３を副走査方向に配置されたレール上に載置し、モータの駆動力をベルトなどの伝達機構を介して伝達することにより、このイメージセンサユニット３３を副走査方向に移動可能としている。図示の例では、待機時は画像読取装置３００の左側に位置している。そして、後述する原稿サイズの検知時には副走査方向に走査し、所定の位置で停止して原稿を読み取ることで、サイズを取得する。画像読取時は、副走査方向に走査しながら画像の読取を行う。
【００１７】
また、装置本体３２の内部には、図２（Ａ）に示すように、それぞれが、コンタクトガラス３１の所定位置における原稿の有無を検知する原稿検知手段としてのサイズ候補センサ４１（センサａ）、４２（センサｂ）、４３（センサｃ）が設置されている。サイズ候補センサ４１、４２、４３は、それぞれ発信部と受信部から構成されており、原稿がセンサ上に載置されていた場合、発信部からの信号を原稿が反射し、受光部で受信することにより原稿が載置されたことを検知する。そして、各センサの検知結果から、後述するように、載置された原稿のサイズの候補を複数決定する。
【００１８】
上述のような各種センサや光源３３ａなどは、図３に示すような制御系により制御される。即ち、本実施形態の画像読取装置３００の制御系は、制御手段としてのＣＰＵ１１と、ＲＡＭ１２と、ＲＯＭ１３と、Ｉ／Ｆ１４と、操作部１５と、不揮発性メモリ１６と、光源３３ａと、各種センサと、システムバス２０を有する。ＣＰＵ１１は、装置全体の動作を制御する。ＲＡＭ１２は、ＣＰＵ１１の作業領域及びデータの一時記憶領域である。ＲＯＭ１３は、画像読取装置を駆動するためのファームウェアプログラムや、ファームウェアプログラムを制御するためのブートプログラムが書き込まれ、ＣＰＵ１１によって使用される。Ｉ／Ｆ１４は、外部のコンピュータ端末装置等と接続し、これを介して画像データが転送される。操作部１５は、ユーザーが画像読取装置の各種設定を行ったり、その確認を行ったりするためのものである。不揮発性メモリ１６は、その各種設定を格納する。システムバス２０は、ＣＰＵ１１と他の各要素とを接続する。
【００１９】
このように構成される制御系では、ＣＰＵ１１が、各種センサの信号を検知して以下のような制御を実行する。まず、図１に示した開閉検知センサ３４の検知結果から原稿カバー３０の開閉状態を検知する。図４は、開閉検知センサ３４の角度検知センサ３６ａ、３６ｂの検知結果の組み合わせによる原稿カバー３０の開閉状態（角度）を示した図である。まず、原稿カバー３０がコンタクトガラス３１から離れた開状態のうちの最大に開いた第１の開状態では、角度検知センサ３６ａ、３６ｂは共にＯＦＦとなる。また、原稿カバー３０を閉じかけた状態であり、原稿カバー３０が第１の開状態よりもコンタクトガラス３１に近づいた第２の開状態では、角度検知センサ３６ａがＯＮ、角度検知センサ３６ｂがＯＦＦとなる。更に、原稿カバーをほぼ閉じた第３の開状態では、角度検知センサ３６ａ、３６ｂは共にＯＮとなる。
【００２０】
また、ＣＰＵ１１は、原稿カバー３０が第２の開状態のときにおけるサイズ候補センサ４１（センサａ）、４２（センサｂ）、４３（センサｃ）の検知結果から、コンタクトガラス３１に載置された原稿のサイズの候補を複数決定する。サイズ候補センサ４１（センサａ）、４２（センサｂ）、４３（センサｃ）は、原稿サイズとの関係で、図５に示すような位置に配置されている。そして、図６に示すように、各センサａ、ｂ、ｃのＯＮ、ＯＦＦ信号から、ＣＰＵ１１が原稿サイズの候補を複数決定する。
【００２１】
更に、ＣＰＵ１１は、各センサａ、ｂ、ｃのＯＮ、ＯＦＦ信号の結果から決定した原稿サイズの候補に対して、図５及び図６に示すエリアを点灯するように、光源３３ａを制御する。即ち、ＣＰＵ１１は、決定された複数の候補の原稿の主走査方向の端部に対応するコンタクトガラス３１の対応照射領域に向けて光源３３ａに光を照射させる。この対応照射領域は、図５及び図６のエリア１、２、３に対応する。エリア１、２、３は、サイズ候補センサ４１（センサａ）、４３（センサｃ）の主走査方向に対する位置をそれぞれの境界としている。
【００２２】
対応照射領域で光源３３ａを照射すると、その反射光がイメージセンサ３３ｂにより検知される。ＣＰＵ１１は、イメージセンサ３３ｂにより検知した結果からコンタクトガラス３１に載置された原稿の主走査方向のサイズを検知する。即ち、光源３３ａにより照射したエリアに対応するイメージセンサ３３ｂの検知素子３３０ｂがそれぞれ検知した信号の違いから、原稿の主走査方向の端部位置を特定する。ここで、主走査方向の端部とは、図５の左上を原稿走査の起点とした場合に、その起点から離れる方向、即ち、図５の下方の端部を指す。そして、原稿の主走査方向の端部位置を特定することにより、コンタクトガラス３１に載置された原稿のサイズを決定する。即ち、原稿の候補サイズのうち、特定された端部位置に端部を有する原稿のサイズを、載置された原稿のサイズとして決定する。
【００２３】
また、本実施形態では、ＣＰＵ１１は、対応照射領域の一部で、複数の検知素子３３０ｂのうち、検知した信号が所定の閾値を跨ぐ個所の検知素子３３０ｂと主走査方向に関して同じ位置のＬＥＤ素子３３０ａが含まれる第１領域から外れた第２領域を消灯するようにしている。ここで、所定の閾値とは、第２の開状態で、原稿が存在する部分と存在しない部分とで検知素子３３０ｂにより検知される信号の境界となる、予め設定された値である。上述のように、本実施形態では、原稿の主走査方向の端部位置が特定できれば良いため、端部位置の特定に必要がない領域である第２領域を消灯するようにしている。
【００２４】
一方、所定の閾値を跨ぐ個所が黒色と他の色との境界である場合、その境界よりも更に主走査方向端部側に原稿の端部が存在することになるので、本実施形態では、第２領域は、所定の閾値を跨ぐ個所よりも、原稿の主走査方向の突き当て基準側とは反対側（走査の起点側）の領域とする。即ち、所定の閾値を跨ぐ２個の検知素子３３０ｂに対応する２個のＬＥＤ素子３３０ａのブロックのうち、原稿走査の起点側に位置するブロックは点灯し、このブロックよりも更に走査の起点側のブロックは消灯する。言い換えれば、所定の閾値を跨ぐ個所を含む原稿の主走査方向の突き当て基準側の領域のみを点灯させる。以下、このような原稿サイズの決定プロセスについて説明する。
【００２５】
［原稿サイズの決定］
図６に示すマトリクスのように、ある一組のセンサ状態の組み合わせに対しては、複数の原稿サイズが存在する。そのため、原稿サイズを確定させるためには、イメージセンサユニット３３に搭載されたイメージセンサ３３ｂを使用し、主走査方向のサイズを検知することにより、最終的な原稿サイズを確定する。主走査方向のサイズ検出方法は、原稿カバー３０の開閉角度により、カバーが閉じきる前の第２の開状態の反射光の輝度とほぼ閉じきった後の閉状態（第３の開状態）の反射光の輝度差を比較することで行う。即ち、ＣＰＵ１１は、原稿カバー３０の開状態と閉状態とで、それぞれイメージセンサ３３ｂにより検知した反射光の差から、コンタクトガラス３１に載置された原稿の主走査方向のサイズを検知する。
【００２６】
例えば、原稿が載置されている部分については、光源３３ａからの照射光は通常、原稿は白色原稿であるので原稿によって反射される。従って、原稿カバー３０が第２の開状態のときと第３の開状態のときとでの反射光の輝度に変化はない。しかし原稿が載置されていない部分については、原稿カバー３０が第２の開状態のときには光源３３ａから照射された光を反射する媒体が存在しないため、イメージセンサ３３ｂが受光する反射光は非常に弱い。一方、この部分は、原稿カバー３０が第３の開状態のとき、光源３３ａの照射光を原稿カバー３０が反射するため、イメージセンサ３２ｂが受光する反射光の輝度が高くなり、反射光の輝度の変化が有る。次に原稿が黒色であると原稿カバー３０が第２の開状態のときと第３の開状態のときとでは黒色原稿によって照射光が吸収されるので反射光はほとんど無く、反射光の輝度に変化はない。このため、この反射光の輝度変化を観測することにより、原稿の端部の位置を特定することができる。
【００２７】
このように原稿の端部の位置を特定すべく、原稿カバー３０が第２の開状態で光源３３ａを点灯させるが、その際、原稿カバー３０が閉じ切っていないため、ユーザーが眩しく感じる可能性がある。そこで、本実施形態では、開閉検知センサ３４が第２の開状態を検知した時に、サイズ候補センサ４１、４２、４３により原稿の有無を検知し、対応照射領域で光源３３ａに光を照射させるようにしている。
【００２８】
ここで、原稿サイズを特定するためには、原稿の端部の位置（即ち、主走査方向の長さ）を検知できれば良い。このため、本実施形態では、サイズ候補センサ４１（センサａ）、４２（センサｂ）、４３（センサｃ）の検知結果から決定した複数の候補の原稿の主走査方向の端部に対応する対応照射領域のみを、光源３３ａで照射させ、この領域の反射光をイメージセンサ３３ｂで検知できるようにしている。また、本実施形態では、光源３３ａの眩しさを更に低減すべく、対応照射領域の一部を後述するように消灯制御するようにしている。
【００２９】
このような本実施形態の原稿サイズの決定のフローについて、図７及び図８を用いて説明する。なお、図７は、本実施形態に係るＣＰＵ１１による光源点灯個所判断動作を示すフローチャートである。図８は、コンタクトガラス上に原稿を置いた際の光源点灯範囲を示した図である。例として、原稿の縁が黒く、内側は白で構成されたＡ４サイズの原稿を、副走査方向が長手となるように置いた場合（Ａ４横）で説明する。
【００３０】
図７ではおおまかに、最初の点灯するエリア（対応照射領域）を決定するフロー（Ｓ１００〜Ｓ３０２）と、次に点灯するエリアを絞る（消灯制御の）フロー（Ｓ１０３以降）とに分かれる。まずユーザーが原稿カバー３０を開く（開閉検知センサ３４が第１の開状態を検知する）と待機状態となり、原稿カバー３０が第２の開状態になるのを待つ（Ｓ１００）。そしてユーザーがコンタクトガラス３１に原稿を載置して原稿カバー３０を閉じる動作を行い、開閉検知センサ３４が第２の開状態を検知すると、ＣＰＵ１１はサイズ候補センサ４３（センサｃ）がＯＮしたかを見る（Ｓ１０１）。ここで、図８に示すように、Ａ４サイズの原稿を載置した場合には、サイズ候補センサ４３がＯＦＦとなるので、次にサイズ候補センサ４１（センサａ）がＯＮしたかを見る（Ｓ２０１）。すると、こちらはＯＮしているので、光源３３ａのエリア２のみを点灯させる（Ｓ２０２、図８（Ａ））。
【００３１】
一方、図８に示す原稿より大きな原稿（Ａ３横など）で、Ｓ１０１においてサイズ候補センサ４３がＯＮとなる場合は、エリア３のみを点灯させる（Ｓ１０２）。また、図８に示す原稿よりも小さな原稿（Ａ５横など）で、Ｓ２０１においてサイズ候補センサ４１がＯＦＦとなる場合は、エリア１のみを点灯させる（Ｓ３０２）。なお、サイズ候補センサ４２（センサｂ）のＯＮ、ＯＦＦも考慮して、原稿サイズの候補を設定するフローを加えても良く、この場合も、上述と同様にして、図６の示したマトリクスのように、載置された原稿のサイズの候補を決定する。
【００３２】
次のステップへ進み、光源３３ａの点灯したエリア内で、走査の起点となるＬＥＤ素子３３０ａ及び検知素子３３０ｂの位置（先頭）からの位置に対応する変数ａ、ｎを使用して、その点灯するエリアを絞る制御を行う。ここでａは、閾値を超える輝度であった際の検知素子３３０ｂの位置（点灯したエリア内での先頭からの画素目）に対応するＬＥＤ素子３３０ａの位置の値を入れる変数であり、ｎは現在処理している検知素子３３０ｂの位置（点灯したエリア内での先頭からの画素目）を示す変数である。なお、このフローの説明では、ＬＥＤ素子３３０ａ及び検知素子３３０ｂの位置は、それぞれブロックの位置を指すこととする。
【００３３】
上述のように所定のエリアを点灯したら、ａを０とし、変数ｎをそのエリア（点灯エリア）内の先頭の位置のＬＥＤ素子３３０ａと主走査方向に関して同じ位置の検知素子３３０ｂ（点灯エリアの先頭画素目）とする（Ｓ１０３）。そして次にｘ画素目まで処理を行ったかの判定を行う（Ｓ１０４）。このｘの値とは任意の値であり、例えば、その点灯エリアの最後（走査の起点から最も離れた位置）のＬＥＤ素子３３０ａの位置と、主走査方向に関して同じ位置の検知素子３３０ｂの位置（ｘ画素目）である。ここでまだｘ画素目でない場合は、Ｓ２０５へ進みイメージセンサ３３ｂのｎ画素目の読取値が所定の閾値以上であったか否かの判定を行う。ここでいう所定の閾値とは、上述したように、原稿の存在有無を判定するための値であり、任意の値である。そして読取値が所定の閾値以上（即ち、原稿が存在する又は光を反射しにくい色でない部分）であった場合は、ｎの値をａに代入する（Ｓ２０６）。次にｎの値に１を加算する（Ｓ２０７）。また、Ｓ２０５において読取値が閾値未満（即ち、原稿が存在しない又は光を反射しにくい色である部分）であった場合は、Ｓ２０６へは進まずＳ２０７へ進む。
【００３４】
Ｓ１０４においてｘ画素目まで判定を終えたら、次にａが０より大なる値であるかの判定を行う（Ｓ１０５）。ａが０である場合には、次述する消灯制御を実施しない。ａが０より大なる場合は、ＣＰＵ１１は光源３３ａに対して任意のブロックの消灯制御を実施する（Ｓ１０６、図８（Ｂ））。この消灯範囲は、例えばその点灯エリアの先頭ブロックを始点とし、ａの値からＬＥＤ素子３３０ａの１ブロック以上の任意の値ｙを除いた場所に該当するブロックを終点とする。
【００３５】
これは、ａの値の位置は所定の閾値を跨ぐ個所に含まれる位置であり、ａの値の位置まで消灯制御を行うと、この位置が、図８（Ａ）で載置されている原稿のような黒い縁との境界であるのか、若しくは、図６のマトリクスで示される複数候補の原稿のうち黒い縁のない小なる原稿（Ｂ５横）が載置された場合の原稿が存在しない部分との境界であるのかの判別が難しいためである。その場合後述する原稿カバー３０の角度を第２の開状態から第３の開状態にした際の輝度値の変化が、該点灯領域の全範囲に及んでしまうため、正しいサイズを検知できない可能性がある。従って、消灯する範囲を検出された最終閾値画素の位置よりも手前までとすることにより、少なくとも確実に原稿が存在している領域を点灯するようにしている。
【００３６】
Ｓ１０６にて消灯制御を実施したか、もしくはＳ１０５でａが０であった場合は、次に原稿カバー３０が第３の開状態になるのを待つ（Ｓ１０７）。ここで、原稿カバー３０が開かれ第１の開状態になった場合（Ｓ９７）は、Ｓ１００に戻る。第３の開状態を検知したら、ＣＰＵ１１は輝度が変化した画素を検出して、原稿サイズを確定する（Ｓ１０８）。そしてＲＡＭ１２に確定した検知サイズを記憶（Ｓ１０９）し、本フローチャートを終了する。
【００３７】
図９は、イメージセンサ３３ｂが原稿サイズ検知時に図８にて用いた原稿で読み取った輝度値を画素ごとにプロットしたグラフ、及び光源３３ａの点灯範囲の変化を表した模式図である。原稿を載置し原稿カバー３０を閉じて第２の開状態を検知した場合は、まずエリア２のブロックのみが点灯される。その後図７のＳ１０４、Ｓ２０５〜Ｓ２０７において画素ごとに輝度値を読み取ると、図９のある画素目が検出される（丸で囲まれた部分）。従って、Ｓ１０６においてはその地点よりも任意画素（ｙ）分手前の位置に該当するブロックまでを消灯制御する。
【００３８】
本実施形態の場合、上述のように、サイズ候補センサにより決定された複数の候補の原稿の主走査方向の端部に対応する対応照射領域で光源に光を照射させると共に候補以外の原稿の主走査方向の端部に対応する対応照射領域の光源は消灯する。このため、原稿サイズの検知時の光源３３ａの眩しさを低減できる。また、対応照射領域で原稿カバーの開閉角度が異なるときに照射した光により、一度の検出で原稿端部を決定することなく、原稿カバー３０が第３の開状態になるまで原稿カバー３０の開放角度が異なる位置で反射光の輝度変化を検出して原稿の主走査方向のサイズを検知する。このため、原稿の縁の色に拘らず、原稿サイズの誤検知を低減できる。即ち、複数の候補の原稿の端部を少なくとも複数回、検出するため、順次点灯するエリアを切り換えた場合に比べて、確実に原稿の端部を検知できる。
【００３９】
また、原稿のサイズ検知の際に、イメージセンサ３３ｂの検知素子で検知した閾値を跨ぐ個所を含む第２領域で、光源３３ａを消灯するため、光源３３ａの眩しさをより低減できる。また、消灯する第２領域を所定の閾値を跨ぐ個所よりも走査の起点（先頭）側とすることにより、原稿の縁の色が黒などの反射率が低い色であっても、確実に原稿の端部を照射でき、誤検知を低減できる。
【００４０】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００４１】
例えば、本実施形態においては、定型サイズの原稿が置かれるという前提であればＡ４横サイズの原稿を積置した場合、サイズ候補センサ４１、４２、４３の検知結果から想定される原稿のサイズがＢ５横もしくはＡ４横のいずれかあると判断できる。そしてイメージセンサ３３ｂの読取結果から、読取値の輝度が閾値を超えるエリアがＢ５の主走査方向サイズよりも大なる位置で有る場合、積置された原稿はＡ４横であると確定できる。その場合、光源３３ａの消灯範囲は、図９で示した点灯範囲よりもさらにＡ４よりの地点まで広げてもよい。また、サイズ候補センサの位置や個数、光源の点灯ブロック数や範囲なども任意の配置、数であってもよい。
【符号の説明】
【００４２】
１１・・・ＣＰＵ（制御手段）、３０・・・原稿カバー、３１・・・コンタクトガラス（原稿台）、３２・・・装置本体、３３・・・イメージセンサユニット、３３ａ・・・光源、３３０ａ・・・ＬＥＤ素子（発光素子）、３３ｂ・・・イメージセンサ（反射光検知手段）、３３０ｂ・・・検知素子、３４・・・開閉検知センサ、３５・・・開閉フラグ、３６ａ、３６ｂ・・・角度検知センサ、４１、４２、４３・・・サイズ候補センサ（原稿検知手段）、３００・・・画像読取装置
【図１】
2014036350.tif 000003
【図２】
2014036350.tif 000004
【図３】
2014036350.tif 000005
【図４】
2014036350.tif 000006
【図５】
2014036350.tif 000007
【図６】
2014036350.tif 000008
【図７】
2014036350.tif 000009
【図８】
2014036350.tif 000010
【図９】
2014036350.tif 000011